(57)【特許請求の範囲】
【請求項１】
高圧配電線と高圧分岐電線とを結束する電線結束具であって、
絶縁被覆され且つ弾性変形可能で且つ弾性変形後に復元するばね性金属製線材を湾曲し
て構成され、前記高圧配電線及び高圧分岐電線を予め設定された配置状態で挟持する収納
挟持部を有し、前記収納挟持部を開閉するための開口部を有する線材部と、
前記線材部の両端部に前記線材部と一体的に形成され、操作具の係止部を差し込むこと
が可能な円環部からなり、前記円環部に前記操作具の係止部を差し込んで前記係止部同士
を互いに離間させることで前記収納挟持部の開口部を開くことが可能な操作部と
を備えることを特徴とする電線結束具。
【請求項２】
前記線材部は、前記収納挟持部に連続して前記ばね性金属製線材を湾曲した巻回部を有
することを特徴とする請求項１に記載の電線結束具。
【発明の詳細な説明】
【技術分野】
【０００１】
本発明は、架空電線を結束する電線結束具に関し、特に高圧配電線と高圧分岐電線とを結束する電線結束具に好適なものである。
【背景技術】
【０００２】
架空高圧配電線を例えば延長して新設又は分岐する際には、高圧配電線を分岐した高圧分岐電線を用いる。高圧配電線と高圧分岐電線との電線接続具としては、例えば下記特許文献１に記載されるものがある。この電線接続具では、高圧分岐電線を予め接続具の押え部に取付けておき、接続具のフックを高圧配電線に引っ掛けた後、押え部に取付けられているネジを回転させ、このネジの推力で押さえ部とフックとの間に高圧配電線を挟持するようにしている。この電線接続具によれば、電線接続のための高所作業が簡易になり、作業負荷を低減することができる。
【先行技術文献】
【特許文献】
【０００３】
【特許文献１】特開２０１０−１９８９００号公報
【発明の概要】
【発明が解決しようとする課題】
【０００４】
前記特許文献１に記載されるのは架空電線を電気的に接続するものである。これに対し、高圧配電線と高圧分岐電線とを単に結束する必要のある場合もある。そのような場合、一般に把持の余長があるビニル被覆アルミバインドと呼ばれるアルミニウムを絶縁被覆した線材を結束する電線に巻き付け、然る後、その線材の両端部を二本の絶縁やっとこなどの把持具を一人が両手でつかんで互いに捻り合わせ把持の余長分を切断し、その捻り合わせた端部を結束された電線側に折り曲げている。この作業は、高所作業車のバケットに乗って行うのが一般的であり、線材の両端部を捻り合わせる際には、両手の把持具の持ち替えが難しいため、両手で把持具を持った作業者自身がバケットの中で回転する。その際、回転でバランスを崩して把持具がバケットに接触することや把持が外れることがあり、二本の把持具を一人で操作するため、作業が困難で作業負荷も大きい。
【０００５】
本発明は、上記のような問題点に着目してなされたものであり、電線結束作業の作業性を向上し且つ作業負荷を低減することが可能な電線結束具を提供することを目的とするものである。
【課題を解決するための手段】
【０００６】
上記課題を解決するために、発明の実施態様は、高圧配電線と高圧分岐電線とを結束する電線結束具であって、アルミニウムが絶縁被覆され且つ塑性変形可能な金属製線材からなる線材部と、前記線材部の両端部に前記線材部と一体的に形成され、前記線材部が前記高圧配電線及び高圧分岐電線に二つ折れ又は二回巻き状態で掛けられている場合に操作具の係止部を差し込むことが可能な円環部からなり、前記円環部に前記操作具の係止部を差し込んで前記操作具を回転させることで前記二つ折れ又は二回巻き状態で互いに重なっている前記線材部同士を一本の操作具の回転により捻り合わせることが可能な操作部とを備えることを特徴とする電線結束具である。
【０００７】
また、高圧配電線と高圧分岐電線とを結束する電線結束具であって、絶縁被覆され且つ弾性変形可能で且つ弾性変形後に復元するばね性金属製線材を湾曲して構成され、前記高圧配電線及び高圧分岐電線を予め設定された配置状態で挟持する収納挟持部を有し、前記収納挟持部を開閉するための開口部を有する線材部と、前記線材部の両端部に前記線材部と一体的に形成され、操作具の係止部を差し込むことが可能な円環部からなり、前記円環部に前記操作具の係止部を差し込んで前記係止部同士を互いに離間させることで前記収納挟持部の開口部を開くことが可能な操作部とを備えることを特徴とする電線結束具である。
【０００８】
また、前記線材部は、前記収納挟持部に連続して前記ばね性金属製線材を湾曲した巻回部を有する。
【発明の効果】
【０００９】
発明の実施態様の電線結束具によれば、アルミニウムが絶縁被覆され且つ塑性変形可能な金属製線材からなる線材部の両端部に、円環部からなる操作部が一体的に形成されている。高圧配電線と高圧分岐電線とを結束する際には、線材部を高圧配電線及び高圧分岐電線に二つ折れ又は二回巻き状態で掛け、操作部の円環部に操作具の係止部を差し込む。そして、その状態で操作具を回転させることにより、二つ折れ又は二回巻き状態で互いに重なっている線材部同士が捻り合わされ、高圧配電線と高圧分岐電線とが結束される。その際、一本の操作具の回転により捻り合わせるため、作業者は、例えば高所作業車のバケット内で回転する必要がない。そのため、バランスを崩したり操作具の把持が外れたりすることもなく、電線結束作業の作業性を向上し且つ作業負荷を低減することができる。
【００１０】
また、発明の実施形態の電線結束具によれば、絶縁被覆され且つ弾性変形可能で且つ弾性変形後に復元するばね性金属製線材を湾曲した線材部の両端部に、円環部からなる操作部が一体的に形成されている。また、線材部には、高圧配電線及び高圧分岐電線を予め設定された配置状態で挟持する収納挟持部と、その収納挟持部を開閉するための開口部とが設けられている。高圧配電線と高圧分岐電線とを結束する際には、操作部の円環部に操作具の係止部を差し込み、係止部同士を互いに離間させることで収納挟持部の開口部を開く。その状態で、収納挟持部内に高圧配電線及び高圧分岐電線を収納し、操作具の係止部を互いに近接させることにより、収納挟持部の開口部が閉じ、その結果、高圧配電線及び高圧分岐電線が収納挟持部に挟持される。その際、操作具を持った作業者は、例えば高所作業車のバケット内で回転する必要がない。そのため、バランスを崩したり操作具の把持が外れたりすることもなく、電線結束作業の作業性を向上し且つ作業負荷を低減することができる。
【００１１】
また、収納挟持部に連続してばね性金属製線材を湾曲した巻回部を線材部に形成する。収納挟持部の開口部を開く際には、巻回部がばね部として機能し、操作部同士を閉じると収納挟持部の開口部が自動的に閉じ、収納挟持部によって高圧配電線及び高圧分岐電線が挟持される。そのため、電線結束作業の作業性をより一層向上し、作業負荷をより一層低減することができる。
【図面の簡単な説明】
【００１２】
【図１】本発明の電線結束具の第１実施形態を示す正面図である。
【図２】図１の電線結束具を高圧配電線及び高圧分岐電線に掛けた状態の説明図である。
【図３】図２の電線結束具の操作部に操作具の係止部を差し込んだ状態の説明図である。
【図４】図３の操作具を回転させて電線結束具の線材部同士を捻り合わせた状態の説明図である。
【図５】図１の電線結束具を高圧配電線及び高圧分岐電線に掛けた状態の説明図である。
【図６】図５の電線結束具の操作部に操作具の係止部を差し込んだ状態の説明図である。
【図７】図６の操作具を回転させて電線結束具の線材部同士を捻り合わせた状態の説明図である。
【図８】図３及び図４又は図６及び図７の電線結束作業の説明図である。
【図９】本発明の電線結束具の第２実施形態を示す説明図であり、（ａ）は平面図、（ｂ）は正面図である。
【図１０】図９の電線結束具の開口部を開いた状態の説明図である。
【図１１】本発明の電線結束具の第２実施形態の変形例を示す説明図であり、（ａ）は平面図、（ｂ）は正面図である。
【図１２】図１１の電線結束具の開口部を開いた状態の説明図である。
【図１３】図９及び図１１の電線結束具を操作するための操作具の一例を示す全体図である。
【図１４】図１３の操作具の詳細図である。
【図１５】図１３の操作具による電線結束作業の説明図である。
【図１６】図９及び図１１の電線結束具を操作するための操作具の他の例を示す全体図である。
【図１７】図１６の操作具の詳細図である。
【図１８】図１６の操作具による電線結束作業の説明図である。
【図１９】従来の電線結束作業の説明図である。
【発明を実施するための形態】
【００１３】
次に、本発明の電線結束具の第１実施形態について図面を参照しながら説明する。図１は、本実施形態の電線結束具の正面図である。本実施形態の電線結束具は、非加工状態では直線状の金属製繊細からなる線材部１を有する。この線材部１は、例えばアルミニウムが絶縁被覆され、且つ塑性変形可能な金属製線材からなる。この線材部１の断面形状は円形又は方形などであり、後述するように、両端部を重ねるようにして中央部で折り、互いに重なっている部分を捻り合わせたときに高圧配電線と高圧分岐電線とを十分な強度で結束することができる長さを有する。そして、線材部１の長手方向両端部には、円環部からなる操作部２が、当該線材部１と一体的に形成されている。この操作部２は、後述するように、前記線材部１を高圧配電線及び高圧分岐電線に二つ折れ又は二回巻き状態で掛け、その状態で、バインド打ち器などの操作具の係止部を差し込むことができる大きさの円環部からなる。
【００１４】
高圧配電線と高圧分岐電線は、前述した特許文献１に記載されるような接続具によって接続される。高圧配電線３１と高圧分岐電線３２との結束作業では、図２に示すように、線材部１を高圧配電線３１及び高圧分岐電線３２に二つ折れ状態で掛ける。その状態で、図３に示すように、線材部１の両端部の操作部２に操作具３の鉤爪状の係止部４を差し込む。然る後、操作具３を図示の矢印方向、つまり鉛直軸周りに回転させて、図４に示すように、互いに重なっている線材部１同士を捻り合わせる。これにより、塑性変形可能な線材部１によって高圧配電線３１と高圧分岐電線３２とが線材部１で絞られるように結束される。このようにして、高圧配電線３１と高圧分岐電線３２とを結束したら、操作部２の円環部から操作具３の係止部４を引き抜き、然る後、線材部１を高圧配電線３１及び高圧分岐電線３２に沿うように折り曲げる。
【００１５】
この高圧配電線３１と高圧分岐電線３２との結束作業では、図５に示すように、線材部１を高圧配電線３１及び高圧分岐電線３２に二回巻き状態で掛けてもよい。そして、その状態で、図６に示すように、線材部１の両端部の操作部２に操作具３の鉤爪状の係止部４を差し込む。然る後、操作具３を図示の矢印方向、つまり鉛直軸周りに回転させて、図７に示すように、互いに重なっている線材部１同士を捻り合わせる。これにより、塑性変形可能な線材部１によって高圧配電線３１と高圧分岐電線３２とが線材部１で絞られるように結束される。このようにして、高圧配電線３１と高圧分岐電線３２とを結束したら、操作部２の円環部から操作具３の係止部４を引き抜き、然る後、線材部１を高圧配電線３１及び高圧分岐電線３２に沿うように折り曲げる。
【００１６】
この高圧配電線３１と高圧分岐電線３２との結束作業は、例えば図８に示すように、高所作業車３３のバケット３４に作業者が乗って行う。本実施形態の電線結束具では、線材部１を捻り合わせるときに操作具３を鉛直軸周りに回転させるだけであるから、操作具３がバケット３４の縁に当たるといったことがない。そのため、電線結束作業の作業性がよく、作業負荷も小さい。これに対し、従来の電線結束作業では、図１９に示すように、一般に把持の余長があるビニル被覆アルミバインドと呼ばれるアルミニウムを絶縁被覆した結束線材１０１を高圧配電線３１及び高圧分岐電線３２に巻き付ける。そして、その結束線材１０１の両端部を二本の絶縁やっとこなどの把持具１０２を一人が両手でつかんで互いに捻り合わせ把持の余長部分を切断し、その捻り合わせた端部を結束された電線側に折り曲げている。この作業では、結束線材１０１の両端部を捻り合わせる際には、両手の把持具１０２の持ち替えが難しいため、両手で把持具１０２を持った作業者自身が図の矢印方向にバケット３４の中で回転する。その際、回転でバランスを崩して把持具１０２がバケット３４に接触することや把持が外れることがあり、二本の把持具１０２を一人で操作するため、作業が困難で作業負荷も大きい。
【００１７】
このように本実施形態の電線結束具では、アルミニウムが絶縁被覆され且つ塑性変形可能な金属製線材からなる線材部１の両端部に、円環部からなる操作部２が一体的に形成されている。高圧配電線３１と高圧分岐電線３２とを結束する際には、線材部１を高圧配電線３１及び高圧分岐電線３２に二つ折れ又は二回巻き状態で掛け、操作部２の円環部に操作具３の係止部４を差し込む。そして、その状態で操作具３を鉛直軸周りに回転させることにより、二つ折れ又は二回巻き状態で互いに重なっている線材部１同士が捻り合わされる。その捻り合わせた端部を結束された電線側に折り曲げて、高圧配電線３１と高圧分岐電線３２とが結束される。その際、一本の操作具３の回転により捻り合わせるため、作業者は、例えば高所作業車３３のバケット３４内で回転する必要がない。そのため、バランスを崩したり操作具３の把持が外れたりすることもなく、電線結束作業の作業性を向上し且つ作業負荷を低減することができる。
【００１８】
次に、本発明の電線結束具の第２実施形態について図面を参照しながら説明する。図９は、本実施形態の電線結束具の説明図であり、（ａ）は平面図、（ｂ）は正面図である。本実施形態の電線結束具は、例えば図９（ｂ）に示すように、上下（鉛直方向）に並んだ高圧配電線３１と高圧分岐電線３２とを結束するのに好適なものである。本実施形態の電線結束具は、弾性変形可能で且つ弾性変形後に復元するばね性金属製線材を湾曲して線材部５が構成されている。この線材部５の断面形状は円形又は方形などであり、蒸着法などにより絶縁被覆されている。この線材部５は、図９（ｂ）に示すように、例えば上下に並んだ高圧配電線３１及び高圧分岐電線３２をそのまま収納して挟持する収納挟持部６を備えている。
【００１９】
この収納挟持部６の周縁部の一部が線材部５を構成するばね性金属製線材の長手方向両端部に相当し、その両端部間には、収納挟持部６を開閉するための開口部７が形成されている。また、線材部５には、収納挟持部６に連続してばね性金属製線材を湾曲した巻回部８も形成されている。この巻回部８は、例えば図１０に示すように、収納挟持部６の開口部７を開いたときに、開口部７を自動的に閉じるばね部として機能する。そして、線材部１の長手方向両端部には、円環部からなる操作部９が、当該線材部１と一体的に形成されている。この操作部９は、後述するように、収納挟持部６の開口部７を開くための操作具の係止部を差し込むことができる大きさの円環部からなる。
【００２０】
図１１は、本実施形態の電線結束具の変形例の説明図であり、（ａ）は平面図、（ｂ）は正面図である。本実施形態の電線結束具は、例えば図１１（ｂ）に示すように、横（水平方向）に並んだ高圧配電線３１と高圧分岐電線３２とを結束するのに好適なものである。この電線結束具も、前記図９の電線結束具と同様に、弾性変形可能で且つ弾性変形後に復元するばね性金属製線材を湾曲して線材部５が構成されている。この線材部５の断面形状は円形又は方形などであり、蒸着法などにより絶縁被覆されている。また、この線材部５は、図１１（ｂ）に示すように、例えば横に並んだ高圧配電線３１及び高圧分岐電線３２をそのまま収納して挟持する収納挟持部６を備えている。
【００２１】
この収納挟持部６の周縁部の一部が線材部５を構成するばね性金属製線材の長手方向両端部に相当し、その両端部間には、収納挟持部６を開閉するための開口部７が形成されている。また、線材部５には、収納挟持部６に連続してばね性金属製線材を湾曲した巻回部８も形成されている。この巻回部８は、例えば図１２に示すように、収納挟持部６の開口部７を開いたときに、開口部７を自動的に閉じるばね部として機能する。そして、線材部１の長手方向両端部には、前記図９の電線結束具と同様に、円環部からなる操作部９が、当該線材部１と一体的に形成されている。この操作部９は、収納挟持部６の開口部７を開くための操作具の係止部を差し込むことができる大きさの円環部からなる。
【００２２】
図１３は、図９及び図１１の電線結束具を操作するための操作具の一例を示す全体図、図１４は、図１３の操作具の上方先端部の詳細図である。この操作具１０は、例えば回転ハンドル式の伸縮杆からなり、例えば図１３の上下方向に伸縮する伸縮軸１２の先端部には、図１３の左方に向けて突出部１３が突出形成され、その突出部１３の突出端部には下向きの爪部１４が延長形成され、爪部１４の先端部から横向き（水平方向）に係止部１１が突出形成されている。また、伸縮軸１２の下端部の固定部にも、図１３の左方に向けて突出部１３が突出形成され、その突出部１３の突出端部には上向きの爪部１４が延長形成され、爪部１４の先端部から前記と同じ横向き（水平方向）に係止部１１が突出形成されている。これらの係止部１１は、本実施形態の電線結束具の操作部９の円環部内に差し込むことが可能な大きさのピン形状であり、例えばその突出先端部には、操作部９が抜けないようにフランジ部を形成してもよい。
【００２３】
この操作具１０を用いて、例えば図９の電線結束具で上下に並んだ高圧配電線３１と高圧分岐電線３２とを結束する場合には、例えば図１４に示すように、伸縮軸１２の先端部に連結された係止部１１と固定部に連結された係止部１１の夫々を、図９の電線結束具の操作部９の円環部内に差し込む。そして、その状態で操作ハンドル１５を予め設定された方向に回転して伸縮軸１２を延伸すると、操作部９同士が互いに離間し、これに伴って線材部５に形成されている収納挟持部６の開口部７が開く。このとき、巻回部８は収納挟持部６の開口部７を自動的に閉じるばね部として機能している。その状態で、収納挟持部６内に高圧配電線３１と高圧分岐電線３２とを収納し、然る後、操作ハンドル１５を逆方向に回転して伸縮軸１２を収縮すると、操作部９同士が互いに接近する。その際、巻回部８は収納挟持部６の開口部７を自動的に閉じるばね部として機能しているので、操作部９同士が接触する程度に開口部７が閉じると、収納挟持部６によって高圧配電線３１と高圧分岐電線３２とが挟持され、両者が結束される。高圧配電線３１と高圧分岐電線３２とが収納挟持部６によって挟持されたら、操作具１０の係止部１１を操作部９の円環部から引き抜く。
【００２４】
この高圧配電線３１と高圧分岐電線３２との結束作業は、例えば図１５に示すように、高所作業車３３のバケット３４に作業者が乗って行う。本実施形態の電線結束具では、高圧配電線３１と高圧分岐電線３２とを結束するときに操作具１０の操作ハンドル１５を回転させるだけであるから、操作具１０がバケット３４の縁に当たるといったことがない。そのため、電線結束作業の作業性がよく、作業負荷も小さい。これに対し、従来の電線結束作業では、前述のように、両手で把持具１０２を持った作業者自身がバケット３４の中で回転する際、回転でバランスを崩して把持具１０２がバケット３４に接触することや把持が外れることがあり、二本の把持具１０２を一人で操作するため、作業が困難で作業負荷も大きい。
【００２５】
図１６は、図９及び図１１の電線結束具を操作するための操作具の他の例を示す全体図、図１７は、図１６の操作具の上方先端部の詳細図である。この操作具１０は、例えば絶縁やっとこなどからなり、例えば図１６の上端部には、互いに横向き（水平方向）に対向する固定爪部１７と可動爪部１８とが立設されている。このうち固定爪部１７は非可動である。一方、可動爪部１８は、リンクアーム１９を介して操作ハンドル２０に連結されており、操作ハンドル２０を矢印ａ方向に回転させると可動爪部１８が矢印ｂ方向に開く。固定爪部１７及び可動爪部１８の先端部には、夫々同じ横向き（水平方向）に係止部１１が突出形成されている。この係止部１１は、本実施形態の電線結束具の操作部９の円環部内に差し込むことが可能な大きさのピン形状であり、例えばその突出先端部には、操作部９が抜けないようにフランジ部を形成してもよい。なお、この操作具１０は、既存の絶縁やっとこにアタッチメントを取付けるようにして構成してもよいし、全体を新規に作成してもよい。
【００２６】
この操作具１０を用いて、例えば図９の電線結束具で横に並んだ高圧配電線３１と高圧分岐電線３２とを結束する場合には、例えば図１７に示すように、固定爪部１７の先端部の係止部１１と可動爪部１８の先端部の係止部１１の夫々を、図９の電線結束具の操作部９の円環部内に差し込む。そして、その状態で操作ハンドル２０を図１６の矢印ａ方向に回転すると、固定爪部１７と可動爪部１８との離間に伴って操作部９同士が互いに離間し、これに伴って線材部５に形成されている収納挟持部６の開口部７が開く。このとき、巻回部８は収納挟持部６の開口部７を自動的に閉じるばね部として機能している。その状態で、収納挟持部６内に高圧配電線３１と高圧分岐電線３２とを収納し、然る後、操作ハンドル２０を逆方向に回転して固定爪部１７と可動爪部１８とを閉じると、操作部９同士が互いに接近する。その際、巻回部８は収納挟持部６の開口部７を自動的に閉じるばね部として機能しているので、操作部９同士が接触する程度に開口部７が閉じると、収納挟持部６によって高圧配電線３１と高圧分岐電線３２とが挟持され、両者が結束される。高圧配電線３１と高圧分岐電線３２とが収納挟持部６によって挟持されたら、操作具１０の係止部１１を操作部９の円環部から引き抜く。
【００２７】
この高圧配電線３１と高圧分岐電線３２との結束作業は、例えば図１８に示すように、高所作業車３３のバケット３４に作業者が乗って行う。本実施形態の電線結束具では、高圧配電線３１と高圧分岐電線３２とを結束するときに操作具１０の操作ハンドル２０を図１８の矢印ｃ方向に回転させるだけであるから、操作具１０がバケット３４の縁に当たるといったことがない。そのため、電線結束作業の作業性がよく、作業負荷も小さい。これに対し、従来の電線結束作業では、前述のように、両手で把持具１０２を持った作業者自身がバケット３４の中で回転する際、回転でバランスを崩して把持具１０２がバケット３４に接触することや把持が外れることがあり、二本の把持具１０２を一人で操作するため、作業が困難で作業負荷も大きい。
【００２８】
このように本実施形態の電線結束具では、絶縁被覆され且つ弾性変形可能で且つ弾性変形後に復元するばね性金属製線材を湾曲した線材部５の両端部に、円環部からなる操作部９が一体的に形成されている。また、線材部５には、高圧配電線３１及び高圧分岐電線３２を予め設定された配置状態で挟持する収納挟持部６と、その収納挟持部６を開閉するための開口部７とが設けられている。高圧配電線３１と高圧分岐電線３２とを結束する際には、操作部９の円環部に操作具１０の係止部１１を差し込み、係止部１１同士を互いに離間させることで収納挟持部６の開口部７を開く。その状態で、収納挟持部６内に高圧配電線３１及び高圧分岐電線３２を収納し、操作具１０の係止部１１を互いに近接させることにより、収納挟持部６の開口部７が閉じ、その結果、高圧配電線３１及び高圧分岐電線３２が収納挟持部６に挟持される。その際、操作具１０を持った作業者は、例えば高所作業車３３のバケット３４内で回転する必要がない。そのため、バランスを崩したり操作具の把持が外れたりすることもなく、電線結束作業の作業性を向上し且つ作業負荷を低減することができる。
【００２９】
また、収納挟持部６に連続してばね性金属製線材を湾曲した巻回部８を線材部に形成する。収納挟持部６の開口部７を開く際には、巻回部８がばね部として機能し、操作部９同士を閉じると収納挟持部６の開口部７が自動的に閉じ、収納挟持部６によって高圧配電線３１及び高圧分岐電線３２が挟持される。そのため、電線結束作業の作業性をより一層向上し、作業負荷をより一層低減することができる。
【００３０】
なお、前記各実施形態では、高圧配電線と高圧分岐電線とを互いに１本ずつ結束する場合についてのみ詳述したが、結束される互いの電線の数はこれに限定されるものではない。その際、例えば図９や図１１に示す電線結束具では、結束される電線の数に合わせて収納挟持部の形状を適合させるべきであることはいうまでもない。
【符号の説明】
【００３１】
１は線材部
２は操作部
３は操作具
４は係止部
５は線材部
６は収納挟持部
７は開口部
８は巻回部
９は操作部
１０は操作具
１１は係止部
１２は伸縮軸
１３は突出部
１４は爪部
１５は操作ハンドル
１７は固定爪部
１８は可動爪部
１９はリンクアーム
２０は操作ハンドル
３１は高圧配電線
３２は高圧分岐電線
３３は高所作業車
３４はバケット
【要約】
【課題】電線結束作業の作業性を向上し且つ作業負荷を低減することが可能な電線結束具を提供する。
【解決手段】絶縁被覆され且つ弾性変形可能で且つ弾性変形後に復元するばね性金属製線材を湾曲して構成され、線材部５の両端部に円環状の操作部９を一体的に形成し、線材部５には、高圧配電線３１及び高圧分岐電線３２を配置状態で挟持する収納挟持部６、収納挟持部６を開閉するための開口部７を形成する。高圧配電線３１と高圧分岐電線３２を結束する際には、円環状操作部９に操作具１０の係止部１１を差し込み、係止部１１同士を互いに離間させることで収納挟持部６の開口部７を開く。その状態で、収納挟持部６内に高圧配電線３１及び高圧分岐電線３２を収納し、操作具１０の係止部１１を互いに近接させることにより、収納挟持部６の開口部７が閉じ、高圧配電線３１及び高圧分岐電線３２が収納挟持部６に挟持される。
【選択図】図９【図１】
0005519032.tif 000002
【図２】
0005519032.tif 000003
【図３】
0005519032.tif 000004
【図４】
0005519032.tif 000005
【図５】
0005519032.tif 000006
【図６】
0005519032.tif 000007
【図７】
0005519032.tif 000008
【図８】
0005519032.tif 000009
【図９】
0005519032.tif 000010
【図１０】
0005519032.tif 000011
【図１１】
0005519032.tif 000012
【図１２】
0005519032.tif 000013
【図１３】
0005519032.tif 000014
【図１４】
0005519032.tif 000015
【図１５】
0005519032.tif 000016
【図１６】
0005519032.tif 000017
【図１７】
0005519032.tif 000018
【図１８】
0005519032.tif 000019
【図１９】
0005519032.tif 000020